(57)【要約】【課題】取り扱いが簡単で持ち運びが便利なペット排泄物用携帯処理具を提供する。【解決手段】所定の幅に形成されると共に、先端から手元までが所定の長さに形成された本体１０と、本体１０上に、本体に対して取り外し可能に置かれる排泄物受け部材２０と、を備え、本体１０には、排泄物受け部材２０を本体２０に止めておく止め部１２が設けられ、排泄物受け部材２０は、水溶性の吸水性材料で形成された吸収シートを有しているペット排泄物用携帯処理具で上記の課題を解決する。【選択図】図１
2018134010.tif 000002
【特許請求の範囲】
【請求項１】
所定の幅に形成されると共に、先端から手元までが所定の長さに形成された本体と、前記本体上に、該本体に対して取り外し可能に置かれる排泄物受け部材と、を備え、
前記本体には、前記排泄物受け部材を該本体に止めておく止め部が設けられ、前記排泄物受け部材は、水溶性の吸水性材料で形成された吸収シートを有している、
ことを特徴とするペット排泄物用携帯処理具。
【請求項２】
前記排泄物受け部材は、水溶性の吸水性材料で形成された前記吸収シートと、防水性のバックシートとの積層構造である、請求項１に記載のペット排泄物用携帯処理具。
【請求項３】
前記排泄物受け部材は、前記本体の前記先端側に設けられた、排泄物を受ける受け部と、前記受け部よりも前記本体の手元側に位置し、前記受け部側に折り返し可能な折り返し部と、を有する、請求項１又は２に記載のペット排泄物用携帯処理具。
【請求項４】
前記受け部には、該受け部に被せるための被せ部が接続されており、該被せ部は、水溶性の吸水性材料で形成されている、請求項１〜３のいずれか１項に記載のペット排泄物用携帯処理具。
【発明の詳細な説明】
【技術分野】
【０００１】
本発明は、散歩中に小型犬等のペットがなした排泄物を処理するためのペット排泄物用携帯処理具に関する。
【背景技術】
【０００２】
近年は空前のペットブームであり、多くの家庭でペットが飼われている。ペットの中でも小型犬の人気が高い。小型犬等をペットとして飼っている場合、多くの飼い主は、一日に１回又は複数回の散歩を行っている。ところが、犬等のペットは散歩中に糞（排泄物）を排泄することがある。ペットの排泄物は、適切に処理をしなければ、排泄物を排泄された近隣の家主に対し迷惑をかけてしまう。そのため、ペットが散歩中にしたペットの排泄物は、器具等を用いて処理されている。
【０００３】
ペットの排泄物を処理する方法として、ペットの散歩のときにスコップとポリ袋を用いる方法がある。具体的には、ペットが路上等に排泄した排泄物をスコップですくい取り、すくい取った排泄物をポリ袋等に収容して処理する。最近では、スコップやポリ袋を携帯する煩わしさを改善するために、ペットの飼い主の利便性を考慮した様々な処理グッズが販売されている。
【０００４】
排泄物処理グッズの１つに袋状のエチケットパックがある。エチケットパックは、外面が不織布等で構成され、内面がポリ袋等で構成されている。このエチケットパックで排泄物を処理する場合、エチケットパックの内部に手を入れ、路上等に排泄された排泄物をエチケットパックでつかみ取る。排泄物をつかみ取った後、エチケットパックの外面と内面をひっくり返して、エチケットパックの内部に排泄物を収容している。その際、飼い主は、ペットボトル等に予め水を収容しておき、その水を排泄物が排泄された場所にまいて洗い流している。エチケットパックに収容された排泄物は、家庭に持ち帰り、一般廃棄物として処分したり、トイレに流したりして処理をしている（例えば、特許文献１）。
【０００５】
上記のエチケットパックは、手を汚すことなく路上等に排泄された排泄物を処理することができる点で便利である。このようなエチケットパックは、数十枚から数百枚単位でセットにして袋詰めにしたり、箱詰めにしたりして販売されている。代表的な商品としては、例えば、サンテックオプト株式会社製の「ポイ太くん」等がある。
【０００６】
他のペットの排泄物処理グッズとして、リング状のフレームと取っ手とを備えたキャッチ具がある。このキャッチ具は、リング状のフレームに排泄物を採取する袋を取り付け、ペットの排泄物を袋で直接受けて処理する。このキャッチ具で排泄物を処理する場合、リング状のフレームに予め袋を取り付けておき、そのキャッチ具をペットの散歩中に携帯する。そして、ペットが排泄するときに、飼い主は袋が取り付けられたフレームをペットのお尻に差し出し、袋で排泄物を直接受ける。排泄物を袋で受けた後は、袋をフレームから取り外し、袋の口を閉じて、家庭に持ち帰る等している（例えば、特許文献２）。
【０００７】
こうしたキャッチ具は、排泄物を直接受けることができるので、路上等に排泄された排泄物をつかみ取る手間を省くことができて便利である。こうしたキャッチ具も、ペットショップや通信販売等で販売されている。代表的な商品としては、例えば、エコテックス社の「エコキャッチャー」等がある。
【０００８】
その他に、ペットの排泄物処理グッズとして、受け部（スコップ）と取っ手とを厚紙で形成したものが提案されている（例えば、特許文献３）。この処理グッズは、予め切り込みが形成された１枚の厚紙に簡単な細工を行って、受け部（スコップ）と取っ手とを形成させている。この処理グッズでは、受け部（スコップ）の上に排泄物を直接受け、排泄物を処理グッズごとポリ袋等に収容して持ち帰って処理する。
【０００９】
ペットの排泄物の家庭での処理方法は、自治体によって推奨されれていることがあり、（ｉ）トイレに流して処理を行うことを推奨する自治体や、（ｉｉ）トイレに流すことを禁止して一般廃棄物として処理することを義務づけたり推奨したりする自治体がある。そのため、各家庭では、自治体が推奨するルールによりペットの排泄物を処理している。
【先行技術文献】
【特許文献】
【００１０】
【特許文献１】実用新案登録３０５１６６０号公報
【特許文献２】特開２００８−２７８８７９号公報
【特許文献３】特開２０１５−１９８６２２号公報
【発明の概要】
【発明が解決しようとする課題】
【００１１】
しかしながら、上記のエチケットパックは、路上等に一旦排泄された排泄物を収容する処理方法である。排泄物が排泄された場所に水をまいて洗い流すといっても、完全に洗い流せることはできず、排泄物が排泄された近所の住民に不快感を与えてしまう。また、このエチケットパックでは、裏返しにされた袋を手に被せ、エチケットパック越しに手でつかみ取ることにより処理するものである。エチケットパック越しとはいえ、排泄物をつかみ取る作業は、飼い主に不快感を与える。また、排泄物が軟便の場合、エチケットパックでは、排泄された軟便を路上等から完全に取り去ることは困難であり、洗い流すには大量の水が必要となる。しかし、ペットの散歩に大量の水を持ち運ぶことはできない。
【００１２】
また、回収した排泄物を家庭で処理する場合にも次のような不都合な点がある。第１に、ペットの排泄物をトイレに流して処理することを推奨している自治体では、トイレに流して処理する場合に、エチケットパックを水溶性材料の部分とポリ袋の部分とに分離することが必要となる。この作業を行う際、飼い主は、もう一度排泄物が収容されたエチケットパックに触らなければならず、飼い主に不快な思いをさせてしまう。第２に、ペットの排泄物をトイレに流すことを禁止している自治体では、エチケットパックを水溶性材料の部分とポリ袋の部分とに分離する作業が必要なだけでなく、排泄物が収容されたエチケットパックを廃棄物の回収日まで家庭にとどめておくことも必要になる。そのため、排泄物の悪臭が飼い主に不快感を与えてしまう。
【００１３】
これに対し、リング状のフレームを備えたキャッチ具は、排泄物を路上等に落とさずに、直接受けて処理するので、路上等が汚れてしまうという問題を解決している。ところが、こうしたキャッチ具は、リング状のフレームの部分が大きく、かさばってしまう。そのため、散歩のときの持ち運びに不便である。また、排泄物が収容された袋は、リング状のフレームから取り外すのに手間がかかる。
【００１４】
このキャッチ具は、こうした不都合な点の他に、家庭に排泄物を持ち帰った後の処理も大変である。すなわち、リング状のフレームに取り付けられる袋は、一般的なポリ袋等が用いられる。そのため、飼い主は、ポリ袋に収容された排泄物をポリ袋から排出してトイレに流したり、一般廃棄物として処理したりすることになる。飼い主は、ポリ袋に収容された排泄物をポリ袋から排出する際に、再度排泄物を見ることになり、不快な思いをしなければならない。また、排泄物が軟便である場合、排泄物とポリ袋とを完全に分けることはできない。この場合、飼い主は、ポリ袋を洗浄する作業が必要になる。そのため、飼い主には大きな負担がかかる。
【００１５】
これに対し、受け部（スコップ）と取っ手とを厚紙で形成した処理グッズは、リング状のフレームが存在しないので、かさばるという問題点は改善できている。しかしながら、この処理グッズは、フレームが存在しないので、形状が安定しない。そのため、受け部（スコップ）で排泄物を受けたときに、手が排泄物に触れてしまうおそれがある。また、軟便を処理するには不向きである。この処理グッズは、排泄物を受け部（スコップ）で受けた後に、排泄物を処理グッズごとポリ袋等の収容袋に収容して処理している。そのため、排泄物を家庭で処理する際に、排泄物及び処理グッズを一般廃棄物として処理し、ポリ袋を燃えない廃棄物として処理することが必要であり、飼い主に負担をかけてしまう。
【００１６】
本発明は、上記課題を解決するためになされたものであって、その目的は、取り扱いが簡単で短時間で排泄物を処理することができ、持ち運びに便利なペット排泄物用携帯処理具を提供することにある。
【課題を解決するための手段】
【００１７】
上記課題を解決するための本発明に係るペット排泄物用携帯処理具は、所定の幅に形成されると共に、先端から手元までが所定の長さに形成された本体と、前記本体上に、該本体に対して取り外し可能に置かれる排泄物受け部材と、を備え、前記本体には、前記排泄物受け部材を該本体に止めておく止め部が設けられ、前記排泄物受け部材は、水溶性の吸水性材料で形成された吸収シートを有していることを特徴とする。
【００１８】
この発明によれば、排泄物を直接受けるので地面を汚さずに排泄物を処理することができ、近隣の住民に迷惑をかけることを防ぐことができる。また、排泄物を直接受けるので、泥と共に排泄物を回収することがなく、飼い主は持ち帰るゴミの量を減らすことができる。また、排泄物受け部材は、水溶性の吸収材で形成された吸収シートを有しているので、トイレに流して処理することができる。さらに、ペットの排泄物が軟便のときでも、排泄物受け部材が排泄物を吸収し路上にこぼしてしまうことを抑制することができる。その他に、ペット排泄物用携帯処理具が、本体と、この本体に対して取り外し可能に置かれる排泄物受け部材とにより構成されているので、排泄物受け部材を本体の上に簡単にセットすることができ、且つ本体に排泄物受け部材を止めておくことができる。また、本体の上に排泄物受け部材を置く構造なので、ペットのお尻にペット排泄物用携帯処理具を差し出すことにより、排泄物を路上等に落とすことなく直接受けることができ、短時間で処理することができる。その際、本体の先端から手元までが所定の長さに形成されているので、ペットの排泄物を受ける際に、飼い主等は、しゃがみ込むことなくペットの排泄物を受けることができる。しかも、軽くて持ち運びに便利である。
【００１９】
本発明に係るペット排泄物用携帯処理具において、前記排泄物受け部材は、水溶性の吸水性材料で形成された前記吸収シートと、防水性のバックシートとの積層構造であることが好ましい。この発明によれば、排泄物受け部材を吸収シートとバックシートの２層構造とした場合、軟便が吸収シートの裏側まで浸透しても、バックシートは、吸収シートの裏側まで浸透した軟便が本体に付着することを防止することができる。そのため、本体が排泄物で汚れてしまうことを防止することができる
【００２０】
本発明に係るペット排泄物用携帯処理具において、前記排泄物受け部材は、前記本体の前記先端側に設けられた、排泄物を受ける受け部と、前記受け部よりも前記本体の手元側に位置し、前記受け部側に折り返し可能な折り返し部と、を有する。この発明によれば、排泄物受け部材が排泄物を受ける受け部と折り返し部とで構成されているので、受け部に排泄されたペットの排泄物を受け部と折り返し部とで挟み込んで処理することができる。そのため、飼い主は、手を汚さずにペットの排泄物を処理することができる。
【００２１】
本発明に係るペット排泄物用携帯処理具において、前記受け部には、該受け部に被せるための被せ部が接続されており、該被せ部は、水溶性の吸水性材料で形成されている。この発明によれば、受け部に被せるための被せ部が受け部に接続されているので、受け部に被せ部を被せ、排泄物を受け部と被せ部とで挟み込んで処理することができ、飼い主は手を汚さないで排泄物を処理することができる。さらに、折り返し部を受け部側に折り返すことにより、排泄物を受け部、被せ部及び折り返し部で包み込むことができ、排泄物を排泄物受け部材からこぼれ出てしまうことを効果的に抑制することができる。
【発明の効果】
【００２２】
本発明によれば、ペット排泄物用携帯処理具を取り扱いが簡単で持ち運びを便利にすることができる。
【図面の簡単な説明】
【００２３】
【図１】本発明に係る一実施形態のペット排泄物用携帯処理具の斜視図である。
【図２】図１のペット排泄物用携帯処理具を構成する本体の斜視図である。
【図３】種々の形態の本体を説明する平面図である。
【図４】種々の横断面形態の本体を説明する横断面図である。
【図５】図２に示した本体が備える止め部とは異なる形態の止め部を示す斜視図である。
【図６】図３（Ｂ）に示した本体の種々の形態を説明する平面図である。
【図７】排泄物受け部材の構成を説明する説明図である。
【図８】図７に示した排泄物受け部材とは異なる形態の排泄物受け部材の横断面図である。
【図９】排泄物受け部材の使用する前の形態と使用するときの形態の一例を説明する説明図である。
【図１０】ペット排泄物用携帯処理具の使用例を説明する説明図である。
【図１１】排泄物を排泄物受け部材で処理する態様の例を説明する説明図である。
【図１２】異なる形態の形状の排泄物受け部材の斜視図である。
【図１３】図１２に示した排泄物受け部材に関し、受け部に被せ部を被せた形態を示す排泄物受け部材の斜視図である。
【発明を実施するための形態】
【００２４】
以下、本発明の実施形態について、図面を参照しながら説明する。なお、本発明は、以下に説明する実施形態及び図面に記載した形態と同じ技術的思想の発明を含むものであり、本発明の技術的範囲は実施形態の記載や図面の記載のみに限定されるものでない。
【００２５】
［基本構成］
本発明に係るペット排泄物用携帯処理具１は、図１に示すように、所定の幅に形成されると共に、先端から手元側までが所定の長さに形成された本体１０と、本体１０上に置かれる排泄物受け部材２０と、を備えている。本体１０が「所定の幅」に形成されるとは、排泄物受け部材２０を本体１０の上に安定して置くことができる幅を意味し、安定して排泄物受け部材２０を置くことができる幅であれば、その寸法に特別な制限はない。先端から手元側までが「所定の長さ」であるとは、散歩中の飼い主等がペット排泄物用携帯処理具１を不自然な姿勢をしないでペットＰのお尻に差し出すことができる長さであると共に、ペットＰの散歩のときに持ち運ぶ場合に邪魔にならない程度の長さのことである。排泄物受け部材２０は、本体１０に対して取り外し可能に置かれる。本体１０には、排泄物受け部材２０を本体１０に止めておく止め部１２が設けられ、排泄物受け部材２０は、水溶性の吸水性材料で形成されている。このペット排泄物用携帯処理具１は、散歩中にペットＰが排泄を行うときに、排泄物Ｘを地面や路面に落とすことなく、排泄物Ｘをペット排泄物用携帯処理具１で直接受けて処理することができる点に特徴がある。排泄物Ｘをペット排泄物用携帯処理具１で直接受けて処理した場合、次のような利点がある。
【００２６】
ペットＰを散歩させている飼い主は、ペットＰが散歩中に排泄した場合、その後ろめたさがあり、排泄物Ｘの処理をできるだけ早くすませ、その場を立ち去りたいという心理が働く。ところが、ペットＰが地面や路面に排泄した場合、排泄物Ｘの処理に時間がかかってしまい、その場を短時間で立ち去ることが困難である。特に、ペットＰが軟便を路上に排泄した場合、軟便をちり紙等で拭き取り、その後に予め用意していた水をまいて排泄された場所を洗い流すことまで行うことが必要になる。そのため、飼い主がその場を立ち去るまでに長い時間を費やしてしまう。また、ペットＰの排泄物Ｘを直接受けることができる器具を用いた場合でも、器具の取り扱いが複雑であると排泄物Ｘの処理に時間がかかり、やはり短時間でその場を立ち去ることが困難である。一方、近隣住民は、散歩中のペットＰが排泄を行っているところを見かけた場合、不快な思いをする。とりわけ、排泄物Ｘの処理に時間を要している場合、近隣住民の不快感はより大きくなる。そのため、ペットＰの飼い主及び近隣住民の両方にとって、ペットＰの排泄物Ｘを短時間で処理することができる排泄物Ｘの処理具を用いて排泄物Ｘを処理することが望ましい。
【００２７】
ペットＰの排泄物Ｘを短時間で処理することができる処理具としては、排泄物Ｘが地面や路面に落ちる前に直に受けることができるものを挙げることができる。ペットＰの排泄物Ｘを直に受ける処理具では、路上に落ちた排泄物Ｘを拾ったり、路面を洗ったりする手間を省くことができる。特に、排泄物Ｘが軟便であるとき、路面を洗う必要がないので短時間で処理することができる。しかも、処理具の構造が単純であれば取り扱いも簡単であり、排泄物Ｘの処理時間が短くて済む。
【００２８】
本発明に係るペット排泄物用携帯処理具１によれば、ペットＰの排泄物Ｘが地面や路面に落ちる前にペット排泄物用携帯処理具１で直接ペットＰの排泄物Ｘを受けることができので、排泄物Ｘの処理を短時間で行うことができる。また、本発明に係るペット排泄物用携帯処理具１は、本体１０に排泄物受け部材２０を置くだけなので、取り扱いを簡単にすることができ、複雑な操作を行う必要がなく、ペットＰの排泄物Ｘの処理を短時間で行うことができる。また、本体１０を厚紙や樹脂等で形成し、排泄物受け部材２０を水溶性の吸水性材料で形成することにより、軽量で楽に持ち運ぶことができる。
【００２９】
排泄物受け部材２０に水溶性の吸水性材料からなる吸収シート２０ａを設けることにより、ペットＰが軟便を排泄した場合でも、吸収シート２０ａが軟便を吸収する。そのため、排泄物受け部材２０で受けた軟便を路面に落としてしまうことを防止することができる。特に、排泄物受け部材２０を吸収シート２０ａとバックシート２０ｂの２層構造とした場合、軟便が吸収シート２０ａの裏側まで浸透しても、バックシート２０ｂは、吸収シート２０ａの裏側まで浸透した軟便が本体１０に付着することを防止する防水性のシートである。そのため、本体１０が排泄物Ｘで汚れてしまうことを防止することができる。また、排泄物受け部材２０に吸収シート２０ａを設けることにより、吸収シート２０ａをトイレ等に流して処理することができる。ここでいう「水溶性」は、例えばトイレットペーパーのように、水に浸漬されたときに、部材を構成する繊維がばらばらになり、元の形態を維持することができない作用を奏する性質をいう。
【００３０】
各自治体では、ペットＰの排泄物Ｘを処理した排泄物受け部材２０の吸収シート２０ａをトイレに流して処理することを推奨している自治体や、トイレに流すことなく一般廃棄物として処理することを推奨している自治体がある。このペット排泄物用携帯処理具１を構成する排泄物受け部材２０の吸収シート２０ａは、上記のようにトイレに流して処理したり、一般廃棄物として処理したりすることができるので、自治体のルールがどちらの場合であっても、そのルールに従って処理することができる。
【００３１】
こうしたペット排泄物用携帯処理具１は、１つ又は複数の本体１０と、数十枚の排泄物受け部材２０とがセットになって袋詰め等されて販売される。すなわち、本体１０は複数回使用し、本体１０の上に置かれる排泄物受け部材２０は、ペットＰの排泄物Ｘを処理するたびに交換して使用することができるようにされている。
【００３２】
以下、本発明に係るペット排泄物用携帯処理具１の具体的な構成及び使い方について説明する。なお、本明細書で説明するペット排泄物用携帯処理具１の長手方向において、人が手で持つ端部側を「手元側」とし、手元側とは反対側を「先端側」として説明する。
【００３３】
ペット排泄物用携帯処理具１は、図１に示すように、本体１０と排泄物受け部材２０とで構成されている。本体１０は、ペット排泄物用携帯処理具１の基板となる部材であり、樹脂材や厚紙等で構成されている。排泄物受け部材２０は、本体１０上に取り外し可能な形態に置かれる。この排泄物受け部材２０は、ペットＰの排泄物Ｘが地面や路面に落ちる前に、排泄物Ｘを直に受けるための構成要素である。
【００３４】
［本体］
本体１０は、例えば、図２に示すように、外形が細長い長方形か、又は細長い長方形に近い形状をなしている。この本体１０Ａは、その幅方向の中心に設けられている折り曲げ線１３で折り曲げられている。そのため本体１０Ａの横断面の形状は、アルファベットの「Ｖ」をなしている。また、本体１０Ａの長手方向の先端は、手元側に折り返されて、幅方向の外側から中心側に向かって幅が徐々に狭くなるようにして先細り状をなしている。この先細り状をなす部位は、止め部１２である。本体１０Ａの先端から手でつかむ手元の部分までの胴部１１は、排泄物受け部材２０が置かれる部分である。この胴部１１は、排泄物受け部材２０を安定して載せることができるように所定の幅を有している。また、後述するように、ペットＰの排泄物Ｘをペット排泄物用携帯処理具１で受けるときに、ペットＰの飼い主等がペット排泄物用携帯処理具１をペットＰのお尻に向けて差し出すだけで排泄物Ｘの処理を行うことができるように、本体１０Ａは所定の長さを有している。
【００３５】
本体１０Ａの先端に設けられた止め部１２は、本体１０Ａの先端の中心と両側の側縁とを結ぶ線で先端側から手元側に折り返して形成されている。止め部１２と本体１０Ａの胴部１１との間には、排泄物受け部材２０の先端を挿入することができるように隙間が形成されている。この止め部１２は、排泄物受け部材２０を本体１０Ａに置いたときに、本体１０Ａから排泄物受け部材２０がずれてしまうこと防止している。
【００３６】
図２に示す本体１０Ａは、その幅方向の側縁がストレートに伸び、幅が一定になるように形成されているが、本体１０の幅は、一定であることには限定されない。本体１０の外形は、排泄物受け部材２０を安定して載せることができる目的を達成することができれば、長手方向の異なる領域で本体１０の幅を変化させて形成することができる。
【００３７】
図３（Ａ）から図３（Ｄ）は、本体１０の外形の例を示したものである。図３（Ａ）に示した本体１０Ｂの外形は、長手方向における先端側の一定領域の幅が広く形成され、手元側の一定領域の幅が狭く形成されている。先端側の一定領域は幅の広い矩形をなし、手元側の一定領域は幅の狭い矩形をなしている。図３（Ｂ）に示す本体１０Ｃは、シャベルのように形成されている。図３（Ｂ）に示した本体１０Ｃは、長手方向における先端側の一定領域の幅が広く形成され、手元側の一定領域の幅が狭く形成されている。幅の広い領域の先端は円弧状に湾曲した形状をなしている。長手方向の一定領域の側縁は、直線状又は曲線状をなしている。図３（Ｂ）に示した例では、側縁が直線をなしている。幅の広い領域の側縁と幅の狭い領域の側縁とは、円弧状の曲線でつながれている。これに対し、幅の狭い領域の側縁は直線状をなし、一定の幅に形成されている。図３（Ｃ）に示す本体１０Ｄは、長手方向の中央部にくびれが形成されている。くびれよりも先端側の領域は、図３（Ｂ）の形状と同様の形状に形成されている。これに対し、くびれよりも手元側は、一定の幅をなす部分とくびれ側に向かって幅が徐々に狭くなる部分とで構成されている。図３（Ｄ）に示す本体１０Ｅは、細長い台形をなしている。この本体１０Ｅは、長手方向の手元側から先端側に向かうに従い、幅が徐々に広くなるように形成されている。
【００３８】
また、図２に示した本体１０Ａの横断面は、アルファベットの「Ｖ」をなしているが、横断面の形状は、図４（Ａ）から図４（Ｃ）に示す形状に構成してもよい。図４（Ａ）に示す本体１０Ｆは、横断面の形状が、円弧、略円弧又はアルファベットの「Ｕ」等のように湾曲した形状をなしている。具体的に、本体１０Ｆの幅方向の中央は円弧状又は略円弧状に湾曲しており、両側が、曲線又は直線で構成されている。幅方向の中央の領域は、中央から両側部に向かって斜め上方に曲線状に延びている。中央部よりも幅方向の外側の領域は、斜め上側に向かって曲線状又は直線状に延びている。図４（Ｂ）に示す本体１０Ｇは、底面部１０ａと側面部１０ｂとにより構成されている。底面部１０ａは平坦に形成され、側面部１０ｂは底面部１０ａの両側部で上側に向かって所定の高さだけ延びている。側面部１０ｂは、本体１０Ｇの長手方向の全域で同じ高さに形成したり、部分的に高い領域や引く領域を形成したりしてもよい。図４（Ｃ）に示す本体１０Ｈは、平坦な板状をなしている。本体１０は、この図４（Ｃ）に示す本体１０Ｈのように、単純な構造に形成しても構わない。
【００３９】
（止め部の様々な形態）
図１及び図２は、本体１０に設けられた止め部１２の１つの例を示しているが、止め部１２の形態は、図１及び図２に示したものには限定されない。止め部１２の形態は、図５に示すように、他の形態にすることもできる。なお、図５において、本体の符号は「１０」を付して説明する。
【００４０】
図５（Ａ）に示す止め部１２Ａは、本体１０の先端側に近い部分の両側部に設けられている。止め部１２Ａは、本体１０の側部から上側に延びる壁部１５と、壁部１５の上端から本体１０の中心に向けて延びる押さえ部１６とで構成されている。押さえ部１６と本体１０との間には隙間が形成されている。こうした止め部１２Ａは、排泄物受け部材２０の両側部を本体１０と押さえ部１６との間に通し、止め部１２Ａと本体１０とで排泄物受け部材２０挟み込むことによって、排泄物受け部材２０を本体１０に止めておくことができる。
【００４１】
図５（Ｂ）に示す止め部１２Ｂは、本体１０の先端側に近い部分の両側部に設けられている。止め部１２Ｂは、外形が半円状をなしており、本体１０の両側部から外側に突出している。ただし、図５（Ｂ）に示す止め部１２Ｂは、外形が半円状をなしているが、三角形や四角形等の多角形状に形成してもよい。この止め部１２Ｂは、排泄物受け部材２０が本体１０の上に置かれた後に、図５（Ｂ）の矢印に示すように、本体１０の中心側に折り込まれる。折り込まれた止め部１２Ｂは、この止め部１２と本体１０とで排泄物受け部材２０の両側部を挟み込むことによって、排泄物受け部材２０を本体１０の上に止めておくことができる。
【００４２】
図５（Ｃ）に示す止め部１２Ｃは、本体１０の先端に設けられている。止め部１２Ｃは、壁部１７、側壁部１８及び押さえ部１９により構成されている。壁部１７は、本体１０の先端で上側に向けて延びており、側壁部１８は、本体１０の両側部で上側に延びている。押さえ部１９は、壁部１７及び側壁部１８の上端に接続され、本体１０の先端側から手元側に向かって延びている。この押さえ部１９と本体１０との間には、隙間が形成されている。この止め部１２Ｃは、側壁部１８の間で、本体１０と押さえ部１９とで排泄物受け部材２０の先端の部分を挟み込むようにして止めておくことができる。
【００４３】
図５（Ｄ）に示す止め部１２Ｄは、本体１０の側縁に切り欠き形成して設けられている。止め部１２Ｄは、本体１０の先端から手元側に一定の長さだけ離れた位置で、中心側に向けてＶ字やＵ字の切り欠きにより構成されている。この止め部１２は、排泄物受け部材２０の側縁を部分的に差し込むことによって、本体１０に排泄物受け部材２０を取り付ける。なお、図５（Ｄ）に示した止め部１２Ｄは、本体１０の各側縁に１箇所ずつ設けているが、各側縁に複数設けてもよい。止め部１２Ｄを各側縁に複数設けた場合、本体１０の長手方向の複数の位置で排泄物受け部材２０を差し込むことができるので、本体１０に排泄物受け部材２０を安定して取り付けることができる。
【００４４】
［本体の変形例］
図６（Ａ）から図６（Ｄ）は、図３（Ｂ）に示した本体１０Ｃに種々の止め部５３，５４，５５，５６を設けた例を示している。図６（Ａ）から図６（Ｄ）に示した本体１０Ｃは、全体の形状がスコップに類似する形状になっている。これらの本体１０Ｃは、先端側の第１胴部５１と手元側の第２胴部５２とにより構成されている。第１胴部５１は楕円又は略楕円に形成され、手元側の第１胴部５１は帯状に形成されている。第１胴部５１は、排泄物受け部材２０の受け部２２が載せられる部位である。本体１０Ｃの第１胴部５１には、止め部５３，５４，５５，５６がそれぞれ設けられている。第２胴部５２は、帯状をなし、第１胴部５１から手元側に向かって延びている。本体１０Ｃは、第１胴部５１が楕円又は略楕円に形成され、且つ幅が手元側の第１胴部５１の幅よりも広く形成されているので、受け部２２を安定して載せておくことができる。
【００４５】
図６（Ａ）に示した本体１０Ｃが備える止め部５３は、円弧状をなしており、本体１０Ｃの先端から手元側に折り返されて形成されている。この止め部５３と第１胴部５１との間には隙間が形成されている。この本体１０Ｃでは、排泄物受け部材２０の先端が止め部５３と第１胴部５１との間に形成された隙間に挿入される。排泄物受け部材２０の先端が隙間に挿入されることにより、排泄物受け部材２０の本体１０Ｃに対して位置決めされる。
【００４６】
図６（Ｂ）に示した本体１０Ｃが備える止め部５４は、第１胴部５１の前部側の両側縁部に設けられている。この止め部５４の構成は、図５（Ａ）に示した本体１０に設けられた止め部１２Ａと同様である。すなわち、止め部５４は、第１胴部５１の側縁から上側に向かって延びる壁部５４ａと壁部５４ａの上端から第１胴部５１の内側に向かって延びる押さえ部５４ｂとで構成されている。押さえ部５４ｂと第１胴部５１との間には隙間が形成されている。こうした止め部５４は、排泄物受け部材２０の両側部を第１胴部５１と押さえ部５４ｂとで排泄物受け部材２０挟み込むことによって、排泄物受け部材２０を本体１０Ｃに止めておくことができる。この図に示す例では、止め部５４を各側縁に１つずつ設けた場合を示しているが、止め部５４は各側縁に複数設けることもできる。
【００４７】
図６（Ｃ）に示す止め部５５は、本体１０Ｃの第１胴部５１の手元側に近い部分の両側縁に設けられている。止め部５５は、外形が半円状をなしており、本体１０Ｃの両側縁から外側に突出している。ただし、この図に示す止め部５５Ｂは外形が半円状をなしているが、三角形や四角形等の多角形状に形成してもよい。この止め部５５は、排泄物受け部材２０が本体１０Ｃの上に置かれた後に、図の矢印に示すように、本体１０Ｃの内側に折り込まれる。折り込まれた止め部５５は、この止め部５５と本体１０Ｃとで排泄物受け部材２０の両側縁を挟み込むことによって、排泄物受け部材２０を本体１０の上に止めておくことができる。この図に示す例では、止め部５５が各側縁にそれぞれ１つずつ設けられているが、止め部５５は各側縁に複数設けることもできる。
【００４８】
図６（Ｄ）に示す止め部５６は、本体１０Ｃの側縁に切り欠きを形成して設けられている。図６（Ｄ）に示した例では、止め部５６は第１胴部５１の両側縁の２箇所にそれぞれ設けられている。各止め部５６は、第１胴部５１の先端に近い部分と第２胴部５２に近い部分にそれぞれ設けられている。これらの止め部５６は、第１胴部５１の側縁から中心側に向けてＶ字やＵ字に切り欠いた切り欠きにより構成されている。この止め部５６は、排泄物受け部材２０の側縁を部分的に差し込むことによって、本体１０Ｃに排泄物受け部材２０を取り付ける。なお、図６（Ｄ）に示した止め部５６は、本体１０Ｃの各側縁に２箇所ずつ設けているが、各側縁に１箇所だけ設けてもよい。止め部５６を各側縁に複数設けた場合、本体１０Ｃに排泄物受け部材２０を安定して取り付けることができる。
【００４９】
［排泄物受け部材］
排泄物受け部材２０は、図７（Ａ）及び図７（Ｂ）に示すように、例えば、吸収シート２０ａとバックシート２０ｂの２層構造をなしている。また、吸収シート２０ａの両側には、側面シート２０ｃが設けられている。吸収シート２０ａは、水溶性の吸水性材料によって細長い長方形に形成されている。水溶性の吸水性材料としては、例えば、水溶性不織布を挙げることができるが、他の材料で構成してもよい。バックシート２０ｂは、防水性を有する材料によって細長い長方形に形成されている。バックシート２０ｂの幅は、吸収シート２０ａの幅よりもやや広く形成されている。バックシート２０ｂは、厚さが薄いシートである。側面シート２０ｃもバックシート２０ｂと同様に防水性を有する材料で形成されている。側面シート２０ｃは、バックシート２０ｂが吸収シート２０ａの側縁から張り出した部分に取り付けられており、バックシート２０ｂと一体化されている。吸収シート２０ａとバックシート２０ｂとは、剥離可能に貼り合わされており、図７（Ｂ）に示すように、バックシート２０ｂ及び側面シート２０ｃから剥離させることができるように構成されている。こうした構成の排泄物受け部材２０は、ペットＰの排泄物Ｘが軟便である場合に、吸収シート２０ａが排泄物Ｘを吸収し、排泄物Ｘが排泄物受け部材２０からこぼれ落ちることを抑制することができる。バックシート２０ｂは、吸収シート２０ａが吸収しきれなかった排泄物Ｘが吸収シート２０ａの裏側まで浸透したときに、排泄物Ｘが本体１０に付着することを防止する。排泄物Ｘの本体１０への付着が防止されるので、本体１０を複数回にわたり繰り返し使用することができる。また、側面シート２０ｃは、吸収シート２０ａの両側から排泄物Ｘがこぼれ出すことを防止する。
【００５０】
排泄物受け部材２０は、図８（Ａ）から図８（Ｃ）に示すような形態にすることもできる。図８（Ａ）に示す例の排泄物受け部材２０Ａは、吸収シート２０ｄとバックシート２０ｂの２層構造をなしている。この図には、排泄物受け部材２０Ａの吸収シート２０ｄとバックシート２０ｂが同じ幅に形成されている構成を例に示しているが、バックシート２０ｂの幅を吸収シート２０ｄの幅よりも広くしてもよい。吸収シート２０ｄの幅方向の両端には、上側に突出した漏れ防止壁２０ｅが形成されている。この漏れ防止壁２０ｅは、ペットＰがなした排泄物Ｘが吸収シート２０ｄの側部から外部にこぼれ出すことを防止している。図８（Ｂ）に示す例の排泄物受け部材２０Ｂは、吸収シート２０ｆとバックシート２０ｂの２層構造をなしている。この排泄物受け部材２０Ｂは、吸収シート２０ｆの幅方向の両側に漏れ防止壁２０ｅは形成されておらず、表面が平坦に形成されている。図８（Ｃ）に示す例の排泄物受け部材２０Ｃは、バックシート２０ｂがなく吸収シート２０ｇだけで構成されている。この排泄物受け部材２０Ｃでは、排泄物Ｘが吸収シート２０ｆの裏側まで浸透した場合に、本体１０に排泄物Ｘが付着することがある。そのため、この排泄物受け部材２０Ｃは、本体１０を使い捨てとした場合や、洗浄して利用する場合に用いられる。
【００５１】
以上に説明した排泄物受け部材２０が、例えば、図２に示した本体１０に取り付けられる場合、次のように挿入部２５が形成されて用いられる。上述したように、排泄物受け部材２０は、図９（Ａ）に示すように、細長い長方形の部材により構成されている。排泄物受け部材２０の先端側は、図９（Ｂ）に示すように、両側縁と中心とを結ぶ折り込み線２１で折り込まれ、先細り形状に形成される。この先細り状の部位は挿入部２５である。排泄物受け部材２０は、ペットＰの排泄物Ｘを受ける受け部２２と、受け部２２よりも手元側に位置する折り返し部２３とにより構成されている。受け部２２と折り返し部２３との境界部分には、図に点線で示した折り線２４が形成されている。折り返し部２３は、この折り線２４の位置で受け部２２側に折り返し可能に構成されている。この排泄物受け部材２０の少なくとも受け部２２の幅は、本体１０の胴部１１の幅よりも広く形成されている（図１参照）。この排泄物受け部材２０の幅方向の中心にも、折り曲げ線２６が形成されている。この折り曲げ線２６は、本体１０の折り曲げ形状に一致させることができるように、排泄物受け部材２０を折り曲げるための部位である。
【００５２】
受け部２２は、ペットＰの排泄物Ｘを直に受けるための部分である。一方、折り返し部２３は、排泄物受け部材２０において、受け部２２よりも手元側の領域をなす部分である。折り返し部２３は、図の点線で示した折り線２４で折り曲げられ、受け部２２に重ねるように折り返される。こうした排泄物受け部材２０では、ペットＰの排泄物Ｘが受け部２２に載せられた後に、折り返し部２３は受け部２２側に折り返され、排泄物Ｘが受け部２２と折り返し部２３とで挟み込で処理される。
【００５３】
挿入部２５は、受け部２２よりも先端側の領域である。この挿入部２５は、先端側に向かうに従って幅が狭くなるように、先細り状をなしている。この挿入部２５は、排泄物受け部材２０を本体１０の上に載せるときに、本体１０の先端に設けられた止め部１２の内側に挿入される部分である。この挿入部２５が本体１０の止め部１２に挿入されることにより、排泄物受け部材２０の本体１０に対する位置ずれが防止され、排泄物受け部材２０が本体１０上に維持される。
【００５４】
以上に説明したペット排泄物用携帯処理具１の大きさは、ペットＰの大きさに応じて長さと幅とが設定される。例えば、ペットＰが小型犬や中型犬である場合、本体１０の長さは、３００ｍｍ以上、４００ｍｍ以下の範囲に設定するとよい。本体１０の長さが３００ｍｍよりも短いと、ペットＰの排泄物Ｘを飼い主等が受けるとき、飼い主等は、しゃがみこんで排泄物Ｘを受けることが必要になる。一方、本体１０の長さが４００ｍｍを超えると持ち運びが不便になる。また、本体１０の幅は、８０ｍｍ以上、１５０ｍｍ以下の範囲に設定するとよい。本体１０の幅が８０ｍｍよりも狭いと、排泄物受け部材２０を載せる面積が小さくなり、排泄物受け部材２０を安定して本体１０に載せておくことが困難になる。一方、本体１０の幅が１５０ｍｍを超えると、小型犬用のペット排泄物用携帯処理具１として使用することが困難になる。ただし、本体１０の幅は、ペットＰの大きさに応じた適切な寸法に形成すればよい。ペットＰが大型犬の場合には、本体１０の幅が１５０ｍｍを超える寸法にしてもよい。
【００５５】
（使用方法及び作用）
本実施形態のペット排泄物用携帯処理具１は、次のようにして用いられる。すなわち、ペットＰの飼い主等は、ペットＰを散歩させるときにペット排泄物用携帯処理具１を携帯する。このペット排泄物用携帯処理具１は、コンパクト且つ軽量なので、携帯して持ち運ぶことが容易である。散歩中に、ペットＰが排泄物Ｘを排泄するとき、飼い主等は、図１０に示すように、ペット排泄物用携帯処理具１の手元側を持ち、先端側をペットＰのお尻に向けて差し出す。その際、ペットＰの排泄物Ｘが排泄物受け部材２０の受け部２２に落下するように、ペット排泄物用携帯処理具１の位置を適切に調整する。本体１０は、所定の長さを有しているので、散歩中の飼い主等は、ペットＰの排泄物Ｘをペット排泄物用携帯処理具１で受ける際に、しゃがみ込む必要がない。
【００５６】
ペットＰが排泄物Ｘを排泄した場合、図１１（Ａ）に示すように、排泄物Ｘは、排泄物受け部材２０の受け部２２の上に載せられる。その際、本体１０は中央の折り曲げ線１３で折り曲げられているので、受け部２２の上に排泄された排泄物Ｘがペット排泄物用携帯処理具１の側部からこぼれ落ちることを抑制することができる。この場合において、排泄物受け部材２０は、少なくとも受け部２２の幅が本体１０の幅よりも広く形成することにより、ペットＰの排泄物Ｘを受けやすくすることができる。また、排泄物受け部材２０は、水溶性の吸水性材料を用いているので、ペットＰの排泄物Ｘが軟便の場合でも、排泄物受け部材２０が軟便を吸収する。そのため、排泄物Ｘをこぼすことを抑制することができる。
【００５７】
排泄物Ｘが受け部２２の上に載せられた後、排泄物受け部材２０の折り返し部２３を受け部２２側に折り返し、排泄物Ｘを受け部２２と折り返し部２３とで挟み込む。また、挿入部２５を受け部２２側におり折り返す。こうした作用により、排泄物Ｘは、受け部２２、折り返し部２３及び挿入部２５によって包み込まれる（図１１（Ｂ）を参照。）。こうして排泄物受け部材２０で包み込まれたペットＰの排泄物Ｘは、別途に用意しておいた袋等に入れておく。
【００５８】
袋の中に入れておかれたペットＰの排泄物Ｘは、自治体が定めたルールに基づいて、排泄物Ｘを包み込んだ排泄物受け部材２０をトイレにそのまま流して処理したり、一般廃棄物として処理したりすることができる。その際、排泄物受け部材２０は吸収シート２０ａと、バックシート２０ｂ及び側面シート２０ｃとに分離される。吸収シート２０ａは、トイレに流して処理したり、一般廃棄物として処理したりされる。一方、バックシート２０ｂ及び側面シート２０ｃはビニールゴミとして処理される。
【００５９】
［排泄物受け部材の変形例］
図１２及び図１３は、図７に示した排泄物受け部材２０の変形例を示している。この排泄物受け部材３０は、図７に示した排泄物受け部材２０と同様に、受け部３２と折り返し部３３とを有している。また、受け部３２の先端側には、折り込み線３１で折り返されてなる挿入部３５が設けられている。受け部３２と折り返し部３３との境界部分には、折り線３４が設けられている。さらに、この排泄物受け部材３０は、図１２及び図１３に示すように、被せ部４０を備えている。図１２及び図１３に示す被せ部４０は蛇腹状をなしているが、被せ部４０は、受け部３２に被せることができれば、蛇腹状であることには限定されない。例えば、被せ部４０は平面状に形成してもよい。
【００６０】
受け部３２の幅は、折り返し部３３の幅よりも広く形成されている。そのため、この排泄物受け部材３０は、ペットＰの排泄物Ｘを受けやすい構造となっている。被せ部４０は、排泄物受け部材３０の側方に張り出すようにして、受け部３２の一方の側縁につながれている。被せ部４０は、水溶性の吸水性材料で形成されている。図１２及び図１３に示した例では、折り線４１は長手方向に延びるようにして形成されている。具体的に。被せ部４０は、長手方向の寸法が９０ｍｍ以上、１３０ｍｍ以下、幅の寸法が約３００ｍｍの長方形の部材が用いられている。この長方形の部材の短軸方向に延び、且つ長軸方向に平行をなす複数の折り線４１で折り込むことにより蛇腹状に形成されている。被せ部４０は、蛇腹状に形成されたとき、幅方向の寸法が１１０ｍｍ以上、１３０ｍｍ以下に形成される。
【００６１】
この排泄物受け部材３０を用いてペットＰの排泄物Ｘを処理する場合、まず、図１３に示すように、排泄物Ｘが排泄された受け部３２に向けて被せ部４０を折り込む。被せ部４０を受け部３２側に折り込むことにより、受け部３２の上に置かれた排泄物Ｘは、受け部３２と被せ部４０とにより挟み込まれる。その際、被せ部４０は、複数の折り線４１で折り込まれて蛇腹状をなしているので、排泄物Ｘを受け部３２と被せ部４０で挟み込む際に、被せ部４０を引き延ばして受け部３２に被せることができるため、排泄物Ｘを容易に挟み込むことができる。
【００６２】
次いで、図１３の矢印に示すように、折り返し部３３を受け部３２側に折り込むと共に、挿入部３５を受け部３２側に折り込む。折り返し部３３及び挿入部３５を受け部３２側に折り込むことにより、排泄物Ｘは、受け部３２、被せ部４０、折り返し部３３及び挿入部３５によって包み込まれる。その結果、排泄物Ｘが排泄物受け部材３０の外部に漏れ出すことを効果的に抑制することができる。このようにして処理された排泄物Ｘは、トイレにそのまま流して処理したり、一般廃棄物として処理したりすることができる。
【００６３】
以上に説明したペット排泄物用携帯処理具１によれば、ペットＰの排泄物Ｘを簡単に処理することができる。また、軽量で且つ適度な大きさなので、持ち運びに便利である。散歩中にペットＰの排泄物Ｘを処理するとき、ペット排泄物用携帯処理具１を用いルことにより、飼い主は手を汚さないで排泄物Ｘを排泄物受け部材２０で包み込んで処理することができる。家庭で排泄物Ｘを処理する場合においても、自治体が定めたルールに基づいて、排泄物Ｘを排泄物受け部材２０で包み込んだままトイレに流して処理したり、一般廃棄物として処理したりすることができる。
【符号の説明】
【００６４】
１  ペット排泄物用携帯処理具
１０，１０Ａ〜１０Ｈ  本体
１１  胴部
１２，１２Ａ〜１２Ｄ  止め部
１３  折り曲げ線
１５  壁部
１６  押さえ部
１７  壁部
１８  側壁部
１９  押さえ部
２０，２０Ａ〜２０Ｃ  排泄物受け部材
２０ａ，２０ｄ，２０ｆ，２０ｇ  吸収シート
２０ｂ  バックシート
２０ｃ  側面シート
２０ｅ  漏れ防止壁
２１，３１  折り込み線
２２，３２  受け部
２３，３３  折り返し部
２４，３４  折り線
２５，３５  挿入部
２６  折り曲げ線
４０  被せ部
５１  第１胴部
５２  第２胴部
５３，５４，５５，５６  止め部
５４ａ  壁部
５４ｂ  押さえ部
Ｐ  ペット
Ｘ  排泄物
【図１】
2018134010.tif 000003
【図２】
2018134010.tif 000004
【図３】
2018134010.tif 000005
【図４】
2018134010.tif 000006
【図５】
2018134010.tif 000007
【図６】
2018134010.tif 000008
【図７】
2018134010.tif 000009
【図８】
2018134010.tif 000010
【図９】
2018134010.tif 000011
【図１０】
2018134010.tif 000012
【図１１】
2018134010.tif 000013
【図１２】
2018134010.tif 000014
【図１３】
2018134010.tif 000015
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
所定の幅に形成されると共に、先端から手元までが所定の長さに形成された本体と、前記本体上に、該本体に対して取り外し可能に置かれる排泄物受け部材と、を備え、
前記本体は、その長手方向における先端側に設けられた前記排泄物受け部材が載せられる部分と、前記長手方向における手前側に設けられた手でつかむ部分とが、厚紙又は樹脂からなる１枚の部材で構成され、
前記本体には、前記排泄物受け部材を前記本体に止めておく止め部が設けられ、
前記止め部は、前記本体の側部若しくは前部から内側に向けて延び、前記本体との間に前記排泄物受け部材が通される隙間を空けて設けられた押さえ部が設けられるか、又は、前記排泄物受け部材が差し込まれる切り欠きが前記本体に形成されて構成され、
前記排泄物受け部材は、水溶性の吸水性材料で形成された吸収シートを有している、
ことを特徴とするペット排泄物用携帯処理具。
【請求項２】
前記排泄物受け部材は、水溶性の吸水性材料で形成された前記吸収シートと、防水性のバックシートとの積層構造である、請求項１に記載のペット排泄物用携帯処理具。
【請求項３】
前記排泄物受け部材は、前記本体の前記先端側に設けられた、排泄物を受ける受け部と、前記受け部よりも前記本体の手元側に位置し、前記受け部側に折り返し可能な折り返し部と、を有する、請求項１又は２に記載のペット排泄物用携帯処理具。
【請求項４】
前記受け部には、該受け部に被せるための被せ部が接続されており、該被せ部は、水溶性の吸水性材料で形成されている、請求項３項に記載のペット排泄物用携帯処理具。